(57)【要約】【課題】電池の電圧の電圧変換ロスを低減できるようにする。【解決手段】撮像装置は、電池パック（２００）と接続可能な第１のコネクタ（１０６）を有する撮像装置であって、電池パックは、第１のコネクタに接続可能な第２のコネクタ（２０１）と、第１の電圧を出力する電池（２１１）と、第１の状態では、第２のコネクタを介して電池の第１の電圧を撮像装置に供給し、第２の状態では、第２のコネクタを介して第２の電圧を撮像装置に供給する第１の切り替え部（１１３）とを有する。【選択図】図３
2019071729.tif 000002
【特許請求の範囲】
【請求項１】
電池パックと接続可能な第１のコネクタを有する撮像装置であって、
前記電池パックは、
前記第１のコネクタに接続可能な第２のコネクタと、
第１の電圧を出力する電池と、
第１の状態では、前記第２のコネクタを介して前記電池の第１の電圧を前記撮像装置に供給し、第２の状態では、前記第２のコネクタを介して第２の電圧を前記撮像装置に供給する第１の切り替え部と
を有することを特徴とする撮像装置。
【請求項２】
前記電池パックは、他の電子機器に接続可能な第３のコネクタをさらに有し、
前記第１の切り替え部は、
前記第３のコネクタに他の電子機器が接続されていない場合、または前記第３のコネクタに接続されている他の電子機器から電力の供給を受けていない場合には、前記電池の第１の電圧を前記撮像装置に供給し、
前記第３のコネクタに接続されている他の電子機器から電力の供給を受けている場合には、前記他の電子機器から供給されている前記第２の電圧を前記撮像装置に供給することを特徴とする請求項１に記載の撮像装置。
【請求項３】
前記電池パックは、前記第３のコネクタに他の電子機器が接続されていない場合、または前記第３のコネクタに接続されている他の電子機器から電力の供給を受けていない場合には、前記第２のコネクタを介して第１の信号を前記撮像装置に送信し、前記第３のコネクタに接続されている他の電子機器から電力の供給を受けている場合には、前記第１の信号を前記撮像装置に送信しない第１の制御部をさらに有し、
前記撮像装置は、
第３の電圧を生成する電圧生成部と、
電圧を変換する電圧変換部と、
前記撮像装置が前記電池パックから前記第１の信号を受信している場合には、前記第１のコネクタに供給された前記第１の電圧を前記電圧生成部に供給し、前記撮像装置が前記電池パックから前記第１の信号を受信していない場合には、前記第１のコネクタに供給された前記第２の電圧を前記電圧変換部に供給する第２の切り替え部とをさらに有し、
前記電圧変換部は、前記第２の電圧を変換し、前記変換した電圧を前記電圧生成部に供給し、
前記電圧生成部は、前記第２の切り替え部から供給される前記第１の電圧または前記電圧変換部から供給される電圧から前記第３の電圧を生成することを特徴とする請求項２に記載の撮像装置。
【請求項４】
前記撮像装置は、前記第２の電圧で駆動する駆動部をさらに有し、
前記第２の切り替え部は、前記撮像装置が前記電池パックから前記第１の信号を受信していない場合には、前記第１のコネクタに供給された前記第２の電圧を前記電圧変換部および前記駆動部に供給することを特徴とする請求項３に記載の撮像装置。
【請求項５】
前記第２の電圧は、前記第１の電圧より高く、
前記電圧変換部は、前記第２の電圧を降圧し、前記降圧した電圧を前記電圧生成部に供給することを特徴とする請求項３に記載の撮像装置。
【請求項６】
前記撮像装置は、前記第２の電圧以上の電圧で駆動する駆動部をさらに有し、
前記第２の切り替え部は、前記撮像装置が前記電池パックから前記第１の信号を受信していない場合には、前記第１のコネクタに供給された前記第２の電圧を前記電圧変換部および前記駆動部に供給することを特徴とする請求項５に記載の撮像装置。
【請求項７】
前記撮像装置は、前記撮像装置を制御する第２の制御部をさらに有し、
前記電圧生成部は、前記第３の電圧を前記第２の制御部に供給し、
前記第２の制御部は、前記第３の電圧の供給を受け、起動することを特徴とする請求項３から６のいずれか１項に記載の撮像装置。
【請求項８】
前記第１の制御部は、前記第３のコネクタに他の電子機器が接続されていない場合、または前記第３のコネクタに接続されている他の電子機器から電力の供給を受けていない場合には、前記第２のコネクタの中の複数の給電のための端子のうちの１個の端子を給電のための端子から認証キーのための端子に割り当てを変更し、前記第２のコネクタを介して認証キーを前記撮像装置に送信し、
前記撮像装置は、前記第１のコネクタを介して前記第１の制御部から前記第１の信号を受信している場合には、前記第１のコネクタの中の複数の給電のための端子のうちの１個の端子を給電のための端子から認証キーのための端子に割り当てを変更し、前記第１のコネクタを介して前記第１の制御部から前記認証キーを受信し、前記認証キーを用いることにより前記電池パックの認証を行う第３の制御部をさらに有することを特徴とする請求項３から７のいずれか１項に記載の撮像装置。
【請求項９】
前記撮像装置は、前記撮像装置を制御する第２の制御部をさらに有し、
前記電圧生成部は、前記第３の電圧を前記第２の制御部に供給し、
前記第２の制御部は、前記第３の制御部が前記電池パックの認証に成功した場合には、前記第３の電圧の供給を受け、起動することを特徴とする請求項８に記載の撮像装置。
【請求項１０】
前記第１の制御部は、前記第３のコネクタに他の電子機器が接続されていない場合、または前記第３のコネクタに接続されている他の電子機器から電力の供給を受けていない場合には、前記第２のコネクタの中の４つの給電のための端子を、電源電位のための端子、グランド電位のための端子、認証キーのための端子、および温度情報のための端子に割り当てを変更し、
前記撮像装置は、前記第１のコネクタを介して前記第１の制御部から前記第１の信号を受信している場合には、前記第１のコネクタの中の４つの給電のための端子を、電源電位のための端子、グランド電位のための端子、認証キーのための端子、および温度情報のための端子に割り当てを変更する第３の制御部をさらに有することを特徴とする請求項３から９のいずれか１項に記載の撮像装置。
【請求項１１】
前記電池パックは、前記他の電子機器からＵＳＢ  ＰＤ規格に準拠した電力の供給を受けることを特徴とする請求項２から１０のいずれか１項の記載の撮像装置。
【請求項１２】
前記第１のコネクタおよび前記第２のコネクタは、ＵＳＢ  ＴＹＰＥ−Ｃコネクタであることを特徴とする請求項１から１１のいずれか１項に記載の撮像装置。
【請求項１３】
電池パックと接続可能な第１のコネクタを有する撮像装置の制御方法であって、
前記電池パックは、
前記第１のコネクタに接続可能な第２のコネクタと、
第１の電圧を出力する電池と
を有し、
前記制御方法は、
第１の状態では、前記第２のコネクタを介して前記電池の第１の電圧を前記撮像装置に供給するステップと、
第２の状態では、前記第２のコネクタを介して第２の電圧を前記撮像装置に供給するステップと
を有することを特徴とする制御方法。
【発明の詳細な説明】
【技術分野】
【０００１】
本発明は、撮像装置およびその制御方法ならびにそれらに関連するプログラムに関する。
【背景技術】
【０００２】
ＵＳＢ（Ｕｎｉｖｅｒｓａｌ  Ｓｅｒｉａｌ  Ｂｕｓ）規格には様々な規格が存在する。ＵＳＢ規格の一つであるＵＳＢ  ＴＹＰＥ−Ｃ規格は、電子機器のコネクタに関する規格である。ＵＳＢ  ＴＹＰＥ−Ｃ規格に準拠したコネクタは、２つの電子機器間でのデータ通信に利用できるだけでなく、２つの電子機器間での電力供給にも利用できる。ＵＳＢ規格の一つであるＵＳＢ  ＰＤ（Ｐｏｗｅｒ  Ｄｅｌｉｖｅｒｙ）規格は、電力供給方法に関する規格である。ＵＳＢ  ＰＤ規格に準拠した２つの電子機器は、給電に関するネゴシエーションを行うことができ、双方で合意した給電プロファイルに従って電力供給を行うことができる。
【０００３】
特許文献１には、通常の状態では、電力供給元から電力供給先に対し、ＵＳＢで規定された標準電圧により給電を実施する方法が記載されている。ただし、特許文献１では、接続された電力供給先は、電力供給元とのネゴシエーションで電圧の変更を要求し、電力供給元は、この要求に応じる場合には、標準電圧以外の電圧で電力供給先に対して電力を供給する。
【先行技術文献】
【特許文献】
【０００４】
【特許文献１】特開２００３−２６３２４５号公報
【発明の概要】
【発明が解決しようとする課題】
【０００５】
しかしながら、特許文献１に記載されている方法では、電力供給元は、電力供給先の電子機器の都合に合わせて電圧を高めて給電を実施しており、電力供給先へ給電の際に電圧変換を行う必要があり、電圧変換による電力のロスが発生する。
【０００６】
そこで、本発明は、電池の電圧の電圧変換ロスを低減できるようにすることを目的とする。
【課題を解決するための手段】
【０００７】
本発明に係る撮像装置は、電池パックと接続可能な第１のコネクタを有する撮像装置であって、前記電池パックは、前記第１のコネクタに接続可能な第２のコネクタと、第１の電圧を出力する電池と、第１の状態では、前記第２のコネクタを介して前記電池の第１の電圧を前記撮像装置に供給し、第２の状態では、前記第２のコネクタを介して第２の電圧を前記撮像装置に供給する第１の切り替え部とを有する。
【発明の効果】
【０００８】
本発明によれば、電池の電圧の電圧変換ロスを低減することができる。
【図面の簡単な説明】
【０００９】
【図１】撮像装置１００の斜視図である。
【図２】各端子の信号割り当てを説明するための図である。
【図３】撮像装置１００および電池パック２００の構成要素を説明するためのブロック図である。
【図４】撮像装置１００の斜視図である。
【図５】撮像装置１００の動作例を説明するためのフローチャートである。
【図６】電池パック２００の動作例を説明するためのフローチャートである。
【図７】各端子の信号割り当てを説明するための図である。
【図８】撮像装置１００の動作例を説明するためのフローチャートである。
【図９】電池パック２００の動作例を説明するためのフローチャートである。
【図１０】撮像装置１００の斜視図である。
【発明を実施するための形態】
【００１０】
以下、図面を参照して本発明の実施形態を説明する。ただし、本発明は以下の実施形態に限定されるものではない。
【００１１】
［実施形態１］
図１は、実施形態１における撮像装置１００を正面側（被写体側）から見た斜視図である。図１に示すように、撮像装置１００は電池パック２００と接続可能であり、電池パック２００は撮像装置１００から取り外し可能である。
【００１２】
撮像装置１００は、図１に示すように、レンズユニット１０１、電源釦１０２、レリーズ釦１０３、電池収納室１０５、ＵＳＢ  ＴＹＰＥ−Ｃコネクタ１０６および蓋１０７を有する。レンズユニット１０１は、撮像装置１００の正面側に設けられ、被写体の光学像を撮像素子（不図示）の撮像面に結像する。電源釦１０２は、撮像装置１００の上面側に設けられ、撮像装置１００の電源のオン／オフの切り替え操作を行うための釦である。レリーズ釦１０３は、撮像装置１００の上面側に設けられ、２段階の押圧操作が可能な釦である。ユーザがレリーズ釦１０３に対して１段目の半押し操作を実行すると、撮像装置１００は、撮影準備動作（測光動作および測距動作等）を開始する。ユーザがレリーズ釦１０３に対して２段目の全押し操作を実行すると、撮像装置１００は、被写体の光学像に対応する画像データを記録媒体（不図示）に記録する。電池収納室１０５は、撮像装置１００の内部に設けられ、電池パック２００を収納する。蓋１０７は、撮像装置１００に対して回動可能に取り付けられ、閉じた際に電池収納室１０５を覆う。図１は、蓋１０７が開いた状態を示している。この状態において、電池パック２００は、撮像装置１００から取り外し可能である。ＵＳＢ  ＴＹＰＥ−Ｃコネクタ１０６は、ＵＳＢ  ＴＹＰＥ−Ｃ規格に準拠したコネクタであり、電池収納室１０５の奥に設けられる。このＵＳＢ  ＴＹＰＥ−Ｃコネクタ１０６は、レセプタクル側のコネクタであり、プラグ側のＵＳＢ  ＴＹＰＥ−Ｃコネクタ２０１に接続可能である。撮像装置１００は、ＵＳＢ  ＴＹＰＥ−Ｃコネクタ１０６を介して、電池パック２００または外部装置３００（図３参照）と撮像装置１００との間でのデータ通信が可能であり、電池パック２００または外部装置３００から供給される電力の受電が可能である。撮像装置１００、電池パック２００および外部装置３００はいずれもＵＳＢ  ＴＹＰＥ−Ｃ規格に準拠した電子機器である。
【００１３】
電池装置である電池パック２００は、図１に示すように、ＵＳＢ  ＴＹＰＥ−Ｃコネクタ２０１および２０２を有する。ＵＳＢ  ＴＹＰＥ−Ｃコネクタ２０１および２０２はいずれもＵＳＢ  ＴＹＰＥ−Ｃ規格に準拠したコネクタである。ＵＳＢ  ＴＹＰＥ−Ｃコネクタ２０１は、電池パック２００の上面側に設けられ、プラグ側のコネクタである。ＵＳＢ  ＴＹＰＥ−Ｃコネクタ２０１が撮像装置１００のＵＳＢ  ＴＹＰＥ−Ｃコネクタ１０６に接続されると、電池パック２００は、撮像装置１００へ給電可能となる。ＵＳＢ  ＴＹＰＥ−Ｃコネクタ２０２は、電池パック２００の下面側に設けられ、レセプタクル側のコネクタである。このＵＳＢ  ＴＹＰＥ−Ｃコネクタ２０２は、ＵＳＢ  ＴＹＰＥ−Ｃコネクタを有する外部装置３００（図３参照）にケーブル３０１を介して接続可能である。電池パック２００が撮像装置１００に接続され、外部装置３００が電池パック２００のＵＳＢ  ＴＹＰＥ−Ｃコネクタ２０２に接続されている場合、撮像装置１００は、電池パック２００を経由して、外部装置３００と撮像装置１００との間でのデータ通信が可能である。さらに、電池パック２００が撮像装置１００に接続され、外部装置３００が電池パック２００のＵＳＢ  ＴＹＰＥ−Ｃコネクタ２０２に接続されている場合、撮像装置１００は、外部装置３００から電池パック２００を経由して供給される電力の受電が可能である。
【００１４】
図２は、撮像装置１００が有するＵＳＢ  ＴＹＰＥ−Ｃコネクタ１０６に設けられた端子と、電池パック２００が有するＵＳＢ  ＴＹＰＥ−Ｃコネクタ２０１に設けられた端子の信号割り当てを示す。
【００１５】
図２に示すように、ＵＳＢ  ＴＹＰＥ−Ｃコネクタ１０６とＵＳＢ  ＴＹＰＥ−Ｃ２０１とは、いずれも、Ａ列とＢ列の２列の端子配列構造を有する。Ａ列とＢ列の端子は、各列１２端子ずつ、全部で２４端子を有するコネクタである。各端子は、アルファベットと数字からなる符号が割り当てられる。Ａ列の各端子は、符号Ａ１からＡ１２が割り当てられる。Ｂ列の各端子は、符号Ｂ１からＢ１２が割り当てられる。ＵＳＢ  ＴＹＰＥ−Ｃコネクタ１０６とＵＳＢ  ＴＹＰＥ−Ｃコネクタ２０１が接続された場合、同じ数字同士の端子が電気的に接続される。ＵＳＢ  ＴＹＰＥ−Ｃコネクタ１０６および２０１は、リバーシブル性を有する。プラグ側であるＵＳＢ  ＴＹＰＥ−Ｃコネクタ２０１は、レセプタクル側であるＵＳＢ  ＴＹＰＥ−Ｃコネクタ１０６に正方向および逆方向のどちらで挿入しても、正常に動作する。
【００１６】
ＵＳＢ  ＴＹＰＥ−Ｃコネクタ２０１が正方向で挿入された場合には、ＵＳＢ  ＴＹＰＥ−Ｃコネクタ１０６の端子とＵＳＢ  ＴＹＰＥ−Ｃコネクタ２０１の端子とは、同じ符号同士が接続される。例えば、端子Ａ１は端子Ａ１に接続され、端子Ｂ１２は端子Ｂ１２に接続される。
【００１７】
ＵＳＢ  ＴＹＰＥ−Ｃコネクタ２０１が逆方向で挿入された場合には、ＵＳＢ  ＴＹＰＥ−Ｃコネクタ１０６の端子とＵＳＢ  ＴＹＰＥ−Ｃコネクタ２０１の端子とは、数字が同じであり、ＡとＢが逆の符号同士が接続される。例えば、端子Ａ１は端子Ｂ１に接続され、端子Ｂ１２は端子Ａ１２に接続される。
【００１８】
図２に示すように、端子Ａ１、Ａ１２、Ｂ１およびＢ１２には、ＧＮＤ信号が割り当てられている。ＧＮＤ信号は、撮像装置１００および電池パック２００の基準電位となるグランド電位である。端子Ａ４、Ａ９、Ｂ４、Ｂ９には、ＶＢＵＳ信号が割り当てられている。ＶＢＵＳ信号は、給電を行うための信号であり、ＵＳＢ  ＰＤ規格に対応した所定のネゴシエーションを行うための双方向データ通信信号としても使われる。端子Ａ５には、ＣＣ１信号が割り当てられている。端子Ｂ５には、ＣＣ２信号が割り当てられている。以下、ＣＣ１信号およびＣＣ２信号を総称し、ＣＣ信号と呼ぶ。ＵＳＢ  ＴＹＰＥ−Ｃコネクタ２０１の端子Ａ５およびＢ５が、ＵＳＢ  ＴＹＰＥ−Ｃコネクタ１０６の端子Ａ５およびＢ５に接続されることで、電池パック２００は、撮像装置１００へＣＣ信号を送信し、電池パック２００が撮像装置１００に挿入されたことを検知する。また、電池パック２００は、ＵＳＢ  ＴＹＰＥ−Ｃコネクタ２０１の端子Ａ５およびＢ５が、ＵＳＢ  ＴＹＰＥ−Ｃコネクタ１０６の端子Ａ５およびＢ５のどちら側に接続されたか否かを判定する。また、電池パック２００は、ＵＳＢ  ＴＹＰＥ−Ｃコネクタ２０１が正方向および逆方向のどちらで接続されたか否かを判定する。これによって、電池パック２００が撮像装置１００に挿入される方向の検知が可能となる。
【００１９】
端子Ａ８およびＢ８には、ＮＤ（Ｎｏｎ  Ｄｅｌｅｖｅｌｙ）信号が割り当てられている。ＮＤ信号は、外部装置３００が電池パック２００のＵＳＢ  ＴＹＰＥ−Ｃコネクタ２０２に接続されていない場合に、電池パック２００から撮像装置１００に送信される信号である。また、ＮＤ信号は、外部装置３００が電池パック２００のＵＳＢ  ＴＹＰＥ−Ｃコネクタ２０２に接続されているが、電池パック２００が外部装置３００から電力の供給を受けていない場合に、電池パック２００から撮像装置１００に送信される信号である。このＮＤ信号によって、電池パック２００は、ＵＳＢ  ＴＹＰＥ−Ｃ規格に準拠した外部装置３００の接続状況、外部装置３００が給電可能か否かなどを撮像装置１００に通知することが可能となる。ＵＳＢ  ＴＹＰＥ−Ｃコネクタ１０６の端子Ａ６およびＢ６には、Ｄ＋信号が割り当てられ、ＵＳＢ  ＴＹＰＥ−Ｃコネクタ１０６の端子Ａ７およびＢ７には、Ｄ−信号が割り当てられている。ＵＳＢ  ＴＹＰＥ−Ｃコネクタ２０１の端子Ａ６には、Ｄ＋信号が割り当てられ、ＵＳＢ  ＴＹＰＥ−Ｃコネクタ２０１の端子Ａ７には、Ｄ−信号が割り当てられている。Ｄ＋信号とＤ−信号は、ペアの差動信号となっており、ＵＳＢ２．０規格の通信を行うための信号である。ただし、ＵＳＢ２．０規格は、Ｄ＋信号とＤ−信号の１つのペアで通信可能なため、ＵＳＢ  ＴＹＰＥ−Ｃコネクタ２０１の端子Ｂ６およびＢ７には、Ｄ＋信号およびＤ−信号が割り当てられていない。端子Ａ２、Ａ３、Ｂ１０およびＢ１１には、それぞれ、ＴＸ１＋信号、ＴＸ１−信号、ＲＸ１−信号、ＲＸ１＋信号が割り当てられている。端子Ａ１０、Ａ１１、Ｂ２およびＢ３には、それぞれ、ＲＸ２−信号、ＲＸ２＋信号、ＴＸ２＋信号、ＴＸ２−信号が割り当てられている。ＴＸ１＋信号とＴＸ１−信号がペアの差動信号であり、ＲＸ１＋信号とＲＸ１−信号がペアの差動信号であり、ＲＸ２＋信号とＲＸ２−信号がペアの差動信号であり、ＴＸ２＋信号とＴＸ２−信号がペアの差動信号である。これらの差動信号は、ＵＳＢ３．１規格の通信を行うための信号である。
【００２０】
図３は、撮像装置１００および電池パック２００の構成要素を説明するための図である。電池パック２００のＵＳＢ  ＴＹＰＥ−Ｃコネクタ２０１は、撮像装置１００のＵＳＢ  ＴＹＰＥ−Ｃコネクタ１０６に接続されている。外部装置３００は、他の電子機器である。外部装置３００は、ケーブル３０１を介して、電池パック２００のＵＳＢ  ＴＹＰＥ−Ｃコネクタ２０２に接続されている。
【００２１】
まず、図３を参照して、撮像装置１００の構成要素を説明する。撮像装置１００は、電源を制御する電源制御部１１２を有する。電源制御部１１２は、ＵＳＢ  ＴＹＰＥ−Ｃ規格に準拠した電池パック２００等の外部装置３００の接続の有無と、ＵＳＢ  ＴＹＰＥ−Ｃコネクタ２０１が正方向および逆方向のどちらで挿入されたかを、端子Ａ５およびＢ５を介して受信したＣＣ信号に基づいて判定する。また、電源制御部１１２は、撮像装置１００と電池パック２００または外部装置３００との間でのＵＳＢ  ＰＤ規格に対応した所定のネゴシエーションを制御する。また、電源制御部１１２は、電池パック２００からのＮＤ信号を、端子Ａ８およびＢ８を介して受信することで、スイッチ１１３に対して所定のスイッチ切り替え指示を行う。
【００２２】
撮像装置１００は、ＤＣＤＣコンバータ１１５を有する。ＤＣＤＣコンバータ１１５は、電圧生成部であり、電力供給元である電池パック２００またはＵＳＢ  ＰＤ規格に対応した外部装置３００から供給された電圧から適切な電圧を生成し、その生成した電圧を撮像装置１００の各構成要素に供給する。さらに、撮像装置１００は、降圧部１１４を有する。降圧部１１４は、電圧変換部であり、ＵＳＢ  ＰＤ規格に準拠した電圧をその電圧よりも低い所定の電圧に変換し、変換した電圧をＤＣＤＣコンバータ１１５に供給する。
【００２３】
さらに、撮像装置１００は、スイッチ１１３を有する。スイッチ１１３は、切り替え部であり、端子ｃを端子ａに接続した状態、端子ｃを端子ｂに接続した状態、および端子ｃを接続しない状態の３つの状態を選択的に切り替える。端子ｃが端子ａに接続された状態では、ＤＣＤＣコンバータ１１５は、電池パック２００から直接電力の供給を受ける。端子ｃが端子ｂに接続された状態では、降圧部１１４および高圧駆動部１１６は、電池パック２００から電力の供給を受ける。スイッチ１１３は、初期状態では、端子ｃを端子ａおよびｂのいずれにも接続していない。電源制御部１１２は、スイッチ１１３の接続の切り替えを制御する。
【００２４】
また、撮像装置１００は、カメラシステム制御部１１１を有する。カメラシステム制御部１１１は、撮影等の撮像装置１００の各種制御を行う。カメラシステム制御部１１１は、ユーザにより電源釦１０２が押下されることで起動する。カメラシステム制御部１１１が起動すると、撮像装置１００が使用可能な状態となる。さらに、撮像装置１００は、高圧駆動部１１６を有する。高圧駆動部１１６は、電池２１１の電圧よりも高い電圧で駆動させる構成要素を総称したものであり、不図示のレンズ駆動システムの一部、および、不図示の表示部を駆動するシステムの一部を含む。
【００２５】
次に、図３を参照して、電池パック２００の構成要素を説明する。電池パック２００は、充電可能な電池（例：リチウムイオン電池）である電池２１１を有する。電池２１１は、満充電状態では、約３．７Ｖの電圧を出力する。また、電池パック２００は、電池パック２００の各種制御を行う電池システム制御部２１２を有する。電池システム制御部２１２は、電池パック２００と外部装置３００との間で、ＵＳＢ  ＰＤ規格に対応した所定のネゴシエーションを行う。電池システム制御部２１２は、ＵＳＢ  ＴＹＰＥ−Ｃコネクタ２０２に対する外部装置３００の接続を検知し、外部装置３００のＵＳＢ  ＴＹＰＥ−Ｃコネクタが正方向および逆方向のどちらで挿入されたかを、ＣＣ信号に基づいて判定する。ＵＳＢ  ＴＹＰＥ−Ｃコネクタ２０２に外部装置３００が接続されていない場合、または、ＵＳＢ  ＴＹＰＥ−Ｃコネクタ２０２に接続された外部装置３００から給電を受けていない場合、電池システム制御部２１２は、ＮＤ信号を生成する。そして、電池システム制御部２１２は、端子Ａ８およびＢ８を介して、撮像装置１００へＮＤ信号を送信する。
【００２６】
電池パック２００は、スイッチ２１３を有する。スイッチ２１３は、切り替え部であり、端子ｆを端子ｄに接続した状態と、端子ｆを端子ｅに接続した状態のいずれかに切り替える。端子ｆが端子ｄに接続された状態では、ＵＳＢ  ＴＹＰＥ−Ｃコネクタ２０１は、電池２１１に接続される。端子ｆが端子ｅに接続された状態では、ＵＳＢ  ＴＹＰＥ−Ｃコネクタ２０１は、ＵＳＢ  ＴＹＰＥ−Ｃコネクタ２０２に接続される。スイッチ２１３は、初期状態では、端子ｆを端子ｄに接続している。電池システム制御部２１２は、スイッチ２１３の接続の切り替えを制御する。
【００２７】
撮像装置１００は、撮像装置１００が有するスイッチ１１３と、電池パック２００が有するスイッチ２１３とを適宜切り替えることにより、給電方法を適切に切り替えることが可能である。
【００２８】
図４は、外部装置３００が、ケーブル３０１および電池パック２００を介して、撮像装置１００に接続された状態の斜視図である。外部装置３００は、例えば、スマートフォン、パーソナルコンピュータ（ＰＣ）、充電器、電池パック等であるが、これらに限るものではない。以下、図３と図４を参照し、給電の切り替え内容およびその方法について詳細に述べる。
【００２９】
電池パック２００は、外部装置３００がＵＳＢ  ＴＹＰＥ−Ｃコネクタ２０２に非接続の場合、または、ＵＳＢ  ＴＹＰＥ−Ｃコネクタ２０２に接続された外部装置３００から電力の供給を受けていない場合に、ＮＤ信号を撮像装置１００に送信する。その場合、電池パック２００が有するスイッチ２１３は、電池システム制御部２１２の制御の下、端子ｆを端子ｄに接続する。撮像装置１００は、ＮＤ信号を受信している場合には、電池パック２００が有する電池２１１から給電されると判定する。この場合、撮像装置１００は、ＵＳＢ  ＴＹＰＥ−Ｃコネクタ１０６とＵＳＢ  ＴＹＰＥ−Ｃコネクタ２０１とを介して、電池パック２００が有する電池２１１の電圧のまま給電されることが、電圧変換ロスを防止する観点から好ましい。このため、撮像装置１００がＮＤ信号を受信している場合、撮像装置１００が有するスイッチ１１３は、電源制御部１１２の制御の下、端子ｃを端子ａに接続する。これにより、電池パック２００が有する電池２１１は、撮像装置１００が有するＤＣＤＣコンバータ１１５に接続される。撮像装置１００は、電池２１１の電圧のまま受電することができる。これによって、電池パック２００内での電圧変換ロスを防止することができる。
【００３０】
電池パック２００は、外部装置３００からＵＳＢ  ＰＤ規格に準拠した電力の供給を受けている場合、ＮＤ信号を撮像装置１００に送信しない。撮像装置１００は、ＮＤ信号を受信しない場合には、電池パック２００が外部装置３００からＵＳＢ  ＰＤ規格に準拠した電力の供給を受けていると判定する。この場合、撮像装置１００が有するスイッチ１１３は、電源制御部１１２の制御の下、端子ｃを端子ｂに接続する。また、電池パック２００が有するスイッチ２１３は、電池システム制御部２１２の制御の下、端子ｆを端子ｅに接続する。これにより、撮像装置１００が有する降圧部１１４および高圧駆動部１１６は、外部装置３００に接続される。このため、外部装置３００は、ＵＳＢ  ＴＹＰＥ−Ｃコネクタ２０２を介して、ＵＳＢ  ＰＤ規格に準拠した電圧を電池パック２００に供給する。電池パック２００は、その供給された電圧をそのまま撮像装置１００に供給する。これによって、電池パック２００内での電圧変換ロスを防止することができる。ＵＳＢ  ＰＤ規格の給電は、５Ｖ、１２Ｖまたは２０Ｖが標準電圧として規定されている。いずれの電圧も、電池パック２００が有する電池２１１の電圧３．７Ｖよりも高い。外部装置３００が供給する電圧は、電池２１１の電圧よりも高い。また、撮像装置１００は、３．７Ｖよりも高い電圧で駆動する高圧駆動部１１６を有する。このため、高圧駆動部１１６は、電池２１１の電圧と同じ３．７Ｖ近傍へ降下した電圧ではなく、ＵＳＢ  ＰＤ規格に準拠した高い電圧のまま受電する。例えば、高圧駆動部１１６が１０Ｖで駆動する駆動部を含む場合、３．７Ｖから１０Ｖへ昇圧するのではなく、５Ｖから１０Ｖへ昇圧すればよい。これにより、昇圧の電圧差が小さくなり、撮像装置１００内の電圧変換ロスを低減することができる。降圧部１１４は、外部装置３００から供給される電圧をその電圧よりも低い所定の電圧（例えば３．７Ｖ）に変換し、変換した電圧をＤＣＤＣコンバータ１１５に供給する。
【００３１】
電池パック２００は、一定の周期で、ＮＤ信号を撮像装置１００に送信可能である。ＮＤ信号の送信が途中で途絶えた場合、またはＮＤ信号が送信されていない状態からＮＤ信号が送信されている状態へと変化した場合、スイッチ１１３およびスイッチ２１３は、所定のタイミングで、接続の切り替えを行い、給電方法を変更する。
【００３２】
外部装置３００がＵＳＢ  ＴＹＰＥ−Ｃコネクタ２０２に非接続の場合、またはＵＳＢ  ＴＹＰＥ−Ｃコネクタ２０２に接続されている外部装置３００が電力を供給していない場合、電池パック２００は、電池２１１の電圧をそのまま撮像装置１００に供給する。外部装置３００がＵＳＢ  ＴＹＰＥ−Ｃコネクタ２０２に接続され、かつ電池パック２００が外部装置３００から電力の供給を受けている場合、電池パック２００は、ＵＳＢ  ＰＤ規格に準拠した電圧を撮像装置１００に供給する。
【００３３】
図５は、撮像装置１００の動作例を説明するためのフローチャートである。以下、撮像装置１００の動作例と、給電方法の切り替え方法とを説明する。
【００３４】
ステップＳ１０１において、撮像装置１００は、電池パック２００が撮像装置１００に挿入され、ＵＳＢ  ＴＹＰＥ−Ｃコネクタ２０１がＵＳＢ  ＴＹＰＥ−Ｃコネクタ１０６に接続されると、電池パック２００から電力を受電する。電池パック２００が外部装置３００から電力の供給を受けていない場合、撮像装置１００は、電池２１１の電圧の供給を受ける。電池パック２００が外部装置３００から電力の供給を受けている場合、撮像装置１００は、外部装置３００が供給する電圧を受電する。
【００３５】
ステップＳ１０２において、電源制御部１１２は、電力の供給を受け、起動する。
【００３６】
ステップＳ１０３において、電源制御部１１２は、端子Ａ５およびＢ５を介して、電池システム制御部２１２からＣＣ信号を受信したか否かを判定する。さらに、電源制御部１１２は、電池パック２００のＵＳＢ  ＴＹＰＥ−Ｃコネクタ２０１が正方向および逆方向のどちらで挿入されているかを判定する。電池システム制御部２１２からＣＣ信号を受信した場合、電源制御部１１２は、ステップＳ１０４に進む（ステップＳ１０３でＮＯ）。電池システム制御部２１２からＣＣ信号を受信しなかった場合、電源制御部１１２は、ステップＳ１０５に進む（ステップＳ１０３でＹＥＳ）。
【００３７】
ステップＳ１０４において、電源制御部１１２は、電源制御部１１２の動作を停止する。これにより、撮像装置１００も動作停止状態となる。
【００３８】
ステップＳ１０５において、電源制御部１１２は、端子Ａ８およびＢ８を介して、電池システム制御部２１２からＮＤ信号を受信したか否かを判定する。電池システム制御部２１２からＮＤ信号を受信した場合、電源制御部１１２は、ステップＳ１０６に進む（ステップＳ１０５でＹＥＳ）。電池システム制御部２１２からＮＤ信号を受信しなかった場合、電源制御部１１２は、ステップＳ１０９に進む（ステップＳ１０５でＮＯ）。
【００３９】
ステップＳ１０６において、スイッチ１１３は、電源制御部１１２の制御の下、端子ｃを端子ａに接続する。
【００４０】
ステップＳ１０７において、電源制御部１１２は、ユーザの操作により電源釦１０２が押下されたか否かを判定する。電源釦１０２が押下された場合、電源制御部１１２は、ステップＳ１０８に進む（ステップＳ１０７でＹＥＳ）。電源釦１０２が押下されなかった場合、電源制御部１１２は、ステップＳ１０７に戻る（ステップＳ１０７でＮＯ）。
【００４１】
ステップＳ１０８において、スイッチ１１３は、ＵＳＢ  ＴＹＰＥ−Ｃコネクタ１０６に供給された電池２１１の電圧をＤＣＤＣコンバータ１１５に供給する。ＤＣＤＣコンバータ１１５は、電池２１１の電圧から適切な電圧を生成し、その生成した電圧を撮像装置１００の各構成要素に供給する。カメラシステム制御部１１１は、ＤＣＤＣコンバータ１１５から電圧の供給を受け、起動する。撮像装置１００は、使用可能な状態となり、ステップＳ１１５に進む。
【００４２】
ステップＳ１０９において、電源制御部１１２は、給電プロファイルを決定するためのネゴシエーションを電池システム制御部２１２と行う。電源制御部１１２は、ネゴシエーションにより、給電プロファイルを決定する。
【００４３】
ステップＳ１１０において、電源制御部１１２は、電池システム制御部２１２とのネゴシエーションが成功したか否かを判定する。電池システム制御部２１２とのネゴシエーションが成功しなかった場合、電源制御部１１２は、ステップＳ１１１に進む（ステップＳ１１０でＮＯ）。電池システム制御部２１２とのネゴシエーションが成功した場合、電源制御部１１２は、ステップＳ１１２に進む（ステップＳ１１０でＹＥＳ）。
【００４４】
ステップＳ１１１において、電源制御部１１２は、電源制御部１１２の動作を停止する。これにより、撮像装置１００も動作停止状態となる。
【００４５】
ステップＳ１１２において、スイッチ１１３は、電源制御部１１２の制御の下、端子ｃを端子ｂに接続する。
【００４６】
ステップＳ１１３において、電源制御部１１２は、ユーザの操作により電源釦１０２が押下されたか否かを判定する。電源釦１０２が押下された場合、電源制御部１１２は、ステップＳ１１４に進む（ステップＳ１１３でＹＥＳ）。電源釦１０２が押下されていない場合、電源制御部１１２は、ステップＳ１１３に戻る（ステップＳ１１３でＮＯ）。
【００４７】
ステップＳ１１４において、スイッチ１１３は、外部装置３００から供給されているＵＳＢ  ＰＤ規格に準拠した電圧を降圧部１１４および高圧駆動部１１６に供給する。降圧部１１４および高圧駆動部１１６は、外部装置３００から供給されているＵＳＢ  ＰＤ規格に準拠した電圧の供給を受ける。高圧駆動部１１６は、外部装置３００から供給されているＵＳＢ  ＰＤ規格に準拠した電圧以上の電圧で駆動する。高圧駆動部１１６は、ＵＳＢ  ＰＤ規格に準拠した電圧で駆動する駆動部と、ＵＳＢ  ＰＤ規格に準拠した電圧を昇圧する昇圧部と、その昇圧部が昇圧した電圧で駆動する駆動部とを有する。降圧部１１４は、ＵＳＢ  ＰＤ規格に準拠した電圧をその電圧よりも低い所定の電圧（例えば３．７Ｖ）に変換し、変換した電圧をＤＣＤＣコンバータ１１５に供給する。ＤＣＤＣコンバータ１１５は、降圧部１１４から電圧の供給を受け、適切な電圧を撮像装置１００の各構成要素に供給する。カメラシステム制御部１１１は、ＤＣＤＣコンバータ１１５から電圧の供給を受け、起動する。撮像装置１００は、使用可能な状態となり、ステップＳ１１５に進む。
【００４８】
ステップＳ１１５において、電源制御部１１２は、ＮＤ信号の受信状況が変化したか否かを判定する。ＮＤ信号を受信している状況でＮＤ信号が受信されなくなった場合、電源制御部１１２は、ステップＳ１０５に戻る（ステップＳ１１５でＹＥＳ）。ＮＤ信号を受信していない状況でＮＤ信号が受信された場合も、電源制御部１１２は、ステップＳ１０５に戻る（ステップＳ１１５でＹＥＳ）。
【００４９】
以上、電池パック２００が撮像装置１００に挿入された場合の処理を説明したが、撮像装置１００に電池パック２００を介さずにケーブル等を介して外部装置３００が接続された場合も、撮像装置１００は、上記と同様の処理を行う。
【００５０】
図６は、電池パック２００の動作例を説明するためのフローチャートである。以下、電池パック２００の動作例と、給電方法の切り替え方法とを説明する。
【００５１】
ステップＳ２０１において、電池パック２００は、電池パック２００が撮像装置１００に挿入され、ＵＳＢ  ＴＹＰＥ−Ｃコネクタ２０１がＵＳＢ  ＴＹＰＥ−Ｃコネクタ１０６に接続されると、撮像装置１００への給電を開始する。スイッチ２１３は、初期状態では、端子ｆを端子ｄに接続している。電池パック２００は、電池２１１の電圧を撮像装置１００に供給する。
【００５２】
ステップＳ２０２において、電池システム制御部２１２は、端子Ａ５およびＢ５を介して、撮像装置１００にＣＣ信号を送信する。
【００５３】
ステップＳ２０３において、電池システム制御部２１２は、ＵＳＢ  ＴＹＰＥ−Ｃ規格に準拠した外部装置３００がＵＳＢ  ＴＹＰＥ−Ｃコネクタ２０２に接続されているか否か判定する。ＵＳＢ  ＴＹＰＥ−Ｃコネクタ２０２を介してＣＣ信号を受信した場合、電池システム制御部２１２は、外部装置３００がＵＳＢ  ＴＹＰＥ−Ｃコネクタ２０２に接続されていると判定し、ステップＳ２０４に進む（ステップＳ２０３でＹＥＳ）。電池システム制御部２１２は、ＵＳＢ  ＴＹＰＥ−Ｃコネクタ２０２を介してＣＣ信号を受信しなかった場合、電池システム制御部２１２は、外部装置３００がＵＳＢ  ＴＹＰＥ−Ｃコネクタ２０２に接続されていないと判定し、ステップＳ２０５に進む（ステップＳ２０３でＮＯ）。
【００５４】
ステップＳ２０４において、電池システム制御部２１２は、外部装置３００から電力を受電したか否かを判定する。外部装置３００から電力を受電した場合、電池システム制御部２１２は、ステップＳ２１１に進む（ステップＳ２０４でＹＥＳ）。外部装置３００から電力を受電しなかった場合、電池システム制御部２１２は、ステップＳ２０５に進む（ステップＳ２０４でＮＯ）。
【００５５】
ステップＳ２０５において、電池システム制御部２１２は、スイッチ２１３の端子ｆとスイッチ２１３の端子ｄとが接続されているか否かを判定する。端子ｆと端子ｄとが接続されている場合、電池システム制御部２１２は、ステップＳ２０６に進む（ステップＳ２０５でＹＥＳ）。端子ｆと端子ｄとが接続されていない場合、電池システム制御部２１２は、ステップＳ２０８に進む（ステップＳ２０５でＮＯ）。
【００５６】
ステップＳ２０６において、電池システム制御部２１２は、ＮＤ信号を生成し、ＵＳＢ  ＴＹＰＥ−Ｃコネクタ２０１の端子Ａ８およびＢ８を介して電源制御部１１２にＮＤ信号を送信する。
【００５７】
ステップＳ２０７において、電池パック２００は、ＵＳＢ  ＴＹＰＥ−Ｃコネクタ２０１を介して、撮像装置１００に電池２１１の電圧をそのまま供給し続ける。これにより、電池パック２００から撮像装置１００への給電は継続される。
【００５８】
ステップＳ２０８において、スイッチ２１３は、電池システム制御部２１２の制御の下、端子ｆを端子ｄに接続する。
【００５９】
ステップＳ２０９において、電池システム制御部２１２は、ＮＤ信号を生成し、ＵＳＢ  ＴＹＰＥ−Ｃコネクタ２０１の端子Ａ８およびＢ８を介して電源制御部１１２にＮＤ信号を送信する。
【００６０】
ステップＳ２１０において、電池パック２００は、ＵＳＢ  ＴＹＰＥ−Ｃコネクタ２０１を介して、撮像装置１００に電池２１１の電圧をそのまま供給する。これにより、電池パック２００から撮像装置１００への給電が開始される。
【００６１】
ステップＳ２１１において、電池システム制御部２１２は、給電プロファイルを決定するためのネゴシエーションを電源制御部１１２と行う。
【００６２】
ステップＳ２１２において、電池システム制御部２１２は、電源制御部１１２によって決定された給電プロファイルを受信する。
【００６３】
ステップＳ２１３において、スイッチ２１３は、電池システム制御部２１２の制御の下、端子ｆを端子ｅに接続する。
【００６４】
ステップＳ２１４において、電池システム制御部２１２は、ＵＳＢ  ＴＹＰＥ−Ｃコネクタ２０１を介して、給電開始要求を電源制御部１１２から受信する。給電開始要求は、撮像装置１００の電源釦１０２が押下された場合に、ＵＳＢ  ＴＹＰＥ−Ｃコネクタ１０６を介して電源制御部１１２から電池システム制御部２１２に送信される。
【００６５】
ステップＳ２１５において、電池パック２００は、外部装置３００から電池パック２００に供給されているＵＳＢ  ＰＤ規格に準拠した電力をそのまま撮像装置１００に供給することを開始する。これにより、外部装置３００から電池パック２００に供給されているＵＳＢ  ＰＤ規格に準拠した電力は、ＵＳＢ  ＴＹＰＥ−Ｃコネクタ２０１を介して撮像装置１００に供給される。
【００６６】
ステップＳ２１６において、電池システム制御部２１２は、外部装置３００から電池パック２００への給電状況が変化したか否かを判定する。外部装置３００から電池パック２００に電力が供給されている状況で外部装置３００から電池パック２００への給電が停止した場合、電池システム制御部２１２は、ステップＳ２０４に戻る（ステップＳ２１６でＹＥＳ）。外部装置３００から電池パック２００への給電状況が変化していない場合、電池システム制御部２１２は、ステップＳ２１７に進む（ステップＳ２１６でＮＯ）。
【００６７】
ステップＳ２１７において、電池システム制御部２１２は、電池パック２００と外部装置３００との接続状況が変化したか否かを判定する。外部装置３００と電池パック２００とが接続されている状況で外部装置３００が電池パック２００から取り外された場合、電池システム制御部２１２は、ステップＳ２０３に戻る（ステップＳ２１７でＹＥＳ）。
【００６８】
以上説明したように、撮像装置１００は、通信インターフェース部が有するコネクタであるＵＳＢ  ＴＹＰＥ−Ｃコネクタ１０６を有し、電池パック２００または外部装置３００から電力供給を受け、駆動することができる。電池パック２００は、電圧変換をせずに、撮像装置１００に給電することにより、電圧変換ロスを低減することができる。
【００６９】
なお、本発明の実施形態は上述の実施形態１に限定されるものではない。発明の要旨を逸脱しない範囲で変更または修正された実施形態１も本発明の実施形態に含まれる。
【００７０】
［実施形態２］
実施形態２において、実施形態１で説明した構成と同じ構成についてはそれらの説明を省略する。
【００７１】
図７は、撮像装置１００が有するＵＳＢ  ＴＹＰＥ−Ｃコネクタ１０６に設けられた端子と、電池パック２００が有するＵＳＢ  ＴＹＰＥ−Ｃコネクタ２０１に設けられた端子の信号割り当てを示す。
【００７２】
初期状態では、ＵＳＢ  ＴＹＰＥ−Ｃコネクタ１０６および２０１の端子の信号割り当ては、図２に示す信号割り当てである。撮像装置１００が電池パック２００からＮＤ信号を受信し、電池パック２００が電池２１１の電圧を撮像装置１００に供給することが決定された後、図２の信号割り当ては、図７の信号割り当てに変更される。図７の信号割り当ては、図２の信号割り当てに対して、ハッチで示す一部が異なる。
【００７３】
次に、図２の信号割り当てから図７の信号割り当てへの変更点を説明する。図２では、４つの端子Ａ４、Ａ９、Ｂ４およびＢ９には、給電のためのＶＢＵＳ信号が割り当てられている。電源制御部１１２および電池システム制御部２１２からの指示により、図７では、端子Ａ４がＶ＋信号に変更され、端子Ａ９がＶ−信号に変更され、端子Ｂ４がＩＤ信号に変更され、端子Ｂ９がＴｅｍｐ．信号に変更される。変更は、撮像装置１００が有するＵＳＢ  ＴＹＰＥ−Ｃコネクタ１０６と電池パック２００が有するＵＳＢ  ＴＹＰＥ−Ｃコネクタ２０１のそれぞれに対して行われる。Ｖ＋信号は、給電を行うための電源電位である。Ｖ−信号は、撮像装置１００および電池パック２００の基準電位となるグランド電位である。ＩＤ信号は、電池パック２００の認証キーを送信する信号である。Ｔｅｍｐ．信号は、電池パック２００が撮像装置１００に送信する温度情報の信号である。Ｖ＋信号、Ｖ−信号、ＩＤ信号およびＴｅｍｐ．信号は、従来の電池が有する４端子の信号である。ＩＤ信号は、電池パック２００が撮像装置１００に送信する認証キーの信号である。撮像装置１００は、ＩＤ信号を用いることにより電池パック２００の認証を行い、電池パック２００の認証に失敗した場合には不図示の表示手段へ警告を表示する。Ｔｅｍｐ．信号は、電池パック２００が撮像装置１００に送信する電池パック２００の温度の信号である。撮像装置１００は、Ｔｅｍｐ．信号を参照し、電池パック２００の温度が一定以上の温度になると、受電および充電を停止し、過度の温度上昇による電池２１１の劣化を防止する。
【００７４】
図８は、撮像装置１００の動作例を説明するためのフローチャートである。図８のフローチャートは、図５のフローチャートにステップＳ１１０１〜Ｓ１１０４を追加したものである。図８のステップＳ１０１〜Ｓ１１５で行われる処理は、それぞれ、図５のステップＳ１０１〜Ｓ１１５で行われる処理と同じである。以下、実施形態２が実施形態１と異なる部分を説明し、それ以外の部分はそれらの説明を省略する。
【００７５】
電源制御部１１２は、ステップＳ１０６の後、ステップＳ１１０１に進む。ステップＳ１１０１において、電源制御部１１２は、コネクタ１０６の中の４つの端子Ａ４、Ａ９、Ｂ４およびＢ９をそれぞれ、Ｖ＋信号の端子、Ｖ−信号の端子、ＩＤ信号の端子、Ｔｅｍｐ．信号の端子に割り当てを変更する。電源制御部１１２は、コネクタ１０６の中の複数のＶＢＵＳ信号の端子Ａ４、Ａ９、Ｂ４およびＢ９のうちの１個の端子Ｂ４をＶＢＵＳ信号の端子からＩＤ信号の端子に割り当てを変更する。その後、電源制御部１１２は、ステップＳ１０７に進む。
【００７６】
ステップＳ１０７において、電源制御部１１２は、ユーザの操作により電源釦１０２が押下されたか否かを判定する。電源釦１０２が押下された場合、電源制御部１１２は、ステップＳ１１０２に進む（ステップＳ１０７でＹＥＳ）。電源釦１０２が押下されなかった場合には、ステップＳ１０７に戻る（ステップＳ１０７でＮＯ）。
【００７７】
ステップＳ１１０２において、電源制御部１１２は、コネクタ１０６の端子Ｂ４のＩＤ信号を介して、電池パック２００から電池パック２００の認証キーを受信する。
【００７８】
ステップＳ１１０３において、電源制御部１１２は、認証キーを用いることにより電池パック２００の認証を行う。電池パック２００の認証に成功した場合、電源制御部１１２は、電池パック２００が所定の電池であると判定し、ステップＳ１０８に進む（ステップＳ１１０３でＹＥＳ）。電池パック２００の認証に失敗した場合、電源制御部１１２は、電池パック２００が所定の電池でないと判定し、ステップＳ１１０４に進む（ステップＳ１１０３でＮＯ）。
【００７９】
ステップＳ１１０４において、電源制御部１１２は、撮像装置１００が有する不図示の表示部に所定の警告情報を表示し、ステップＳ１０８に進む。ステップＳ１０８以降の処理は、実施形態１と同じであるので、それらの説明を省略する。
【００８０】
図９は、電池パック２００の動作例を説明するためのフローチャートである。以下、電池パック２００の動作例と、給電方法の切り替え方法とを説明する。図９のフローチャートは、図６のフローチャートからステップＳ２０７およびＳ２１０を削除し、図６のフローチャートにステップＳ１２０１〜Ｓ１２０３を追加したものである。図９のステップＳ２０１〜Ｓ２０６、Ｓ２０８、Ｓ２０９、Ｓ２１１〜Ｓ２１７で行われる処理は、それぞれ、図６のステップＳ２０１〜Ｓ２０６、Ｓ２０８、Ｓ２０９、Ｓ２１１〜Ｓ２１７で行われる処理と同じである。以下、実施形態２が実施形態１と異なる部分を説明し、それ以外の部分はそれらの説明を省略する。
【００８１】
電池システム制御部２１２は、ステップＳ２０６またはＳ２０９の後、ステップＳ１２０１に進む。ステップＳ１２０１において、電池システム制御部２１２は、コネクタ２０１の中の４つの端子Ａ４、Ａ９、Ｂ４およびＢ９をそれぞれ、Ｖ＋信号の端子、Ｖ−信号の端子、ＩＤ信号の端子、Ｔｅｍｐ．信号の端子に割り当てを変更する。電池システム制御部２１２は、コネクタ２０１の中の複数のＶＢＵＳ信号の端子Ａ４、Ａ９、Ｂ４およびＢ９のうちの１個の端子Ｂ４をＶＢＵＳ信号の端子からＩＤ信号の端子に割り当てを変更する。
【００８２】
ステップＳ１２０２において、電池システム制御部２１２は、コネクタ２０１の端子Ｂ４のＩＤ信号を介して、電池パック２００の認証キーを撮像装置１００に送信する。
【００８３】
ステップＳ１２０３において、電池パック２００は、撮像装置１００に電池２１１の電圧での給電を継続または開始し、ステップＳ２１６に進む。ステップＳ２１６以降の処理は、実施形態１と同じであるので、それらの説明を省略する。
【００８４】
以上説明したように、実施形態２によれば、電池パック２００は、電池２１１または外部装置３００の電力供給元から、撮像装置１００の電力供給先へ給電する際に、電圧変換をせずに給電することにより、電圧変換ロスを低減することができる。
【００８５】
なお、本発明の実施形態は上述の実施形態２に限定されるものではない。発明の要旨を逸脱しない範囲で変更または修正された実施形態２も本発明の実施形態に含まれる。
【００８６】
［実施形態３］
実施形態３において、実施形態１で説明した構成と同じ構成についてはそれらの説明を省略する。
【００８７】
図１０は、実施形態３における撮像装置１００を正面側（被写体側）から見た斜視図である。図１０に示すように、撮像装置１００は電池パック２００と接続可能であり、電池パック２００は撮像装置１００から取り外し可能である。撮像装置１００の側面には、ＵＳＢ  ＴＹＰＥ−Ｃコネクタ１０６が設けられている。ＵＳＢ  ＴＹＰＥ−Ｃコネクタ１０６は、レセプタクル側のコネクタであり、ＵＳＢ  ＴＹＰＥ−Ｃコネクタ２０１と係合可能である。撮像装置１００は、ＵＳＢ  ＴＹＰＥ−Ｃコネクタ１０６を介して、電池パック２００または外部装置３００と撮像装置１００との間でのデータ通信が可能であり、電池パック２００または外部装置３００から供給される電力の受電が可能である。
【００８８】
電池パック２００の側面には、ＵＳＢ  ＴＹＰＥ−Ｃコネクタ２０１が設けられている。ＵＳＢ  ＴＹＰＥ−Ｃコネクタ２０１は、プラグ側のコネクタである。ＵＳＢ  ＴＹＰＥ−Ｃコネクタ２０１を撮像装置１００のＵＳＢ  ＴＹＰＥ−Ｃコネクタ１０６に接続することで、電池パック２００から撮像装置１００への給電が可能となる。電池パック２００の側面には、別のＵＳＢ  ＴＹＰＥ−Ｃコネクタ２０２が設けられている。ＵＳＢ  ＴＹＰＥ−Ｃコネクタ２０２は、レセプタクル側のコネクタであり、ケーブル３０１を介して、ＵＳＢ  ＴＹＰＥ−Ｃコネクタを有する外部装置３００に接続可能である。電池パック２００が撮像装置１００に接続され、外部装置３００が電池パック２００のＵＳＢ  ＴＹＰＥ−Ｃコネクタ２０２に接続されている場合、撮像装置１００は、電池パック２００を経由して、外部装置３００と撮像装置１００との間でのデータ通信が可能である。さらに、電池パック２００が撮像装置１００に接続され、外部装置３００が電池パック２００のＵＳＢ  ＴＹＰＥ−Ｃコネクタ２０２に接続されている場合、撮像装置１００は、外部装置３００から電池パック２００を経由して供給される電力の受電が可能である。
【００８９】
以上説明したように、実施形態３によれば、電池パック２００は、電池２１１または外部装置３００の電力供給元から、撮像装置１００の電力供給先へ給電する際に、電圧変換をせずに給電することにより、電圧変換ロスを低減することができる。
【００９０】
なお、本発明の実施形態は上述の実施形態３に限定されるものではない。発明の要旨を逸脱しない範囲で変更または修正された実施形態３も本発明の実施形態に含まれる。
【００９１】
［他の実施形態］
実施形態１〜３では、電池パック２００または外部装置３００と撮像装置１００とを接続するコネクタがＵＳＢ  ＴＹＰＥ−Ｃ規格に準拠したコネクタである例を説明したが、これに限るものではない。例えば、ＵＳＢ  ＴＹＰＥ−Ｃ規格以外のＵＳＢ規格に準拠したコネクタを電池パック２００または外部装置３００と撮像装置１００とを接続するコネクタとしてもよい。例えば、ＵＳＢ  ＴＹＰＥ−Ｃ規格とは異なる給電方法を採用した規格に準拠したコネクタを電池パック２００または外部装置３００と撮像装置１００とを接続するコネクタとしてもよい。
【００９２】
また、実施形態１〜３では、電池２１１が満充電状態である場合の電池２１１の電圧が約３．７Ｖである例を説明したが、これに限るものではない。例えば、電池２１１が直列に接続された２個の電池セルを有する場合、電池２１１が満充電状態である場合の電池２１１の電圧は、約７．４Ｖである。
【符号の説明】
【００９３】
１００  撮像装置、１０５  電池収納室、１０６  ＵＳＢ  ＴＹＰＥ−Ｃコネクタ（レセプタクル側）、１１３  スイッチ、２００  電池パック、２０１  ＵＳＢ  ＴＹＰＥ−Ｃコネクタ（プラグ側）、２０２  ＵＳＢ  ＴＹＰＥ−Ｃコネクタ（レセプタクル側）、２１１  電池、２１３  スイッチ、３００  外部装置
【図１】
2019071729.tif 000003
【図２】
2019071729.tif 000004
【図３】
2019071729.tif 000005
【図４】
2019071729.tif 000006
【図５】
2019071729.tif 000007
【図６】
2019071729.tif 000008
【図７】
2019071729.tif 000009
【図８】
2019071729.tif 000010
【図９】
2019071729.tif 000011
【図１０】
2019071729.tif 000012